(57)【要約】      （修正有）【課題】複数画像の同時入力の場合も、各画像の秘匿処理を確実に実施し、それぞれ正確にする。【解決手段】第１，第２画像の画像データすなわち元画像データを並行して入力する画像入力手段２１０，２３０、画像メモリ、第１，第２画像の、元画像データ又は秘匿処理した画像データを、メモリに格納する制御手段３、第１画像上の第１秘匿情報を検出する第１検出手段１２ａ、第２画像上の第２秘匿情報を検出する第２検出手段１２ｂ、第１秘匿情報に対応して第１画像の元画像データを第１画像データに秘匿処理する第１処理手段２５ａ、および、第２秘匿情報に対応して第２画像の元画像データを第２画像データに秘匿処理する第２処理手段２５ｂ、を備える。又は、第１および第２画像を画像メモリに格納してから順次に読み出し、読み出し出力の１パス上で両画像の秘匿情報を検出し両画像の秘匿処理をする。【選択図】図５
2008311689.tif 000002
【特許請求の範囲】
【請求項１】
第１および第２画像の画像データすなわち元画像データを並行して入力する画像入力手段；
画像メモリ手段；
第１および第２画像の、元画像データ又は秘匿処理した画像データを、前記画像メモリ手段に格納する制御手段；
第１画像の元画像データに基づいて、第１画像上の第１秘匿情報を検出する第１検出手段；
第２画像の元画像データに基づいて、第２画像上の第２秘匿情報を検出する第２検出手段；
第１秘匿情報に対応して第１画像の元画像データを第１画像データに秘匿処理する第１処理手段；および、
第２秘匿情報に対応して第２画像の元画像データを第２画像データに秘匿処理する第２処理手段；を備える、秘匿処理装置。
【請求項２】
秘匿処理装置は、第１の秘匿情報検出に用いる第１参照情報および第２の秘匿情報検出に用いる第２参照情報を格納した参照情報記憶手段；を更に備え、第１検出手段は第１参照情報を第１の秘匿情報検出に用い、第２検出手段は第２参照情報を第２の秘匿情報検出に用いる；請求項１に記載の秘匿処理装置。
【請求項３】
前記制御手段は、第１処理手段による秘匿処理があるときには第１画像データを、ないときには第１画像の元画像データを、前記画像メモリ手段に格納し、第２処理手段による秘匿処理があるときには第２画像データを、ないときには第２画像の元画像データを、前記画像メモリ手段に格納する；請求項１又は２に記載の秘匿処理装置。
【請求項４】
第２処理手段は、第２検出手段が第２秘匿情報を検出せず、第１検出手段が第１秘匿情報を検出したときには、第１秘匿情報に対応して第２画像の元画像データを第２画像データに秘匿処理する；請求項３に記載の秘匿処理装置。
【請求項５】
第１処理手段は、第１検出手段が第１秘匿情報を検出せず、第２検出手段が第２秘匿情報を検出したときには、第２秘匿情報に対応して第１画像の元画像データを第１画像データに秘匿処理する；請求項３又は４に記載の秘匿処理装置。
【請求項６】
第１および第２画像の画像データすなわち元画像データを並行して入力する画像入力手段；
画像メモリ手段；
第１および第２画像の元画像データを前記画像メモリ手段に格納してから、第１および第２画像の一方の元画像データを読み出し、次に他方の画像の元画像データを読み出す制御手段；
読み出された第１画像の元画像データに基づいて、第１画像上の第１秘匿情報を検出し、読み出された第２画像の元画像データに基づいて、第２画像上の第２秘匿情報を検出する検出手段；および、
第１秘匿情報に対応して第１画像の元画像データを第１画像データに秘匿処理し、第２秘匿情報に対応して第２画像の元画像データを第２画像データに秘匿処理する処理手段；を備える、秘匿処理装置。
【請求項７】
秘匿処理装置は、第１の秘匿情報検出に用いる第１参照情報および第２の秘匿情報検出に用いる第２参照情報を格納した参照情報記憶手段；を更に備え、前記制御手段は、第１画像の元画像データを前記画像メモリ手段から読み出すときには前記検出手段に第１参照情報を、第２画像の元画像データを前記画像メモリ手段から読み出すときには前記検出手段に第２参照情報を与え；前記検出手段は、与えられた参照情報を用いて秘匿情報を検出する；請求項６に記載の秘匿処理装置。
【請求項８】
前記処理手段は、前記制御手段が前記他方の画像の元画像データを読み出しているとき前記検出手段が秘匿情報を検出しない場合に、先行して読み出された前記一方の元画像データについて秘匿情報が検出されているときには、該秘匿情報に基づいて前記他方の画像の元画像データを秘匿処理する；請求項６又は７に記載の秘匿処理装置。
【請求項９】
前記画像上の秘匿情報は、地紋パターンである；請求項１乃至８のいずれか１つに記載の秘匿処理装置。
【請求項１０】
地紋パターンは特定色であり；前記検出手段は、該特定色の地紋パターンを検知する；請求項９に記載の秘匿処理装置。
【請求項１１】
前記検出手段は、検知したパターン対応の秘匿指示データを発生する；請求項９又は１０に記載の秘匿処理装置。
【請求項１２】
秘匿処理装置は更に、元画像データに基づいて元画像上の文字画像領域および文字以外を表現する非文字領域を検索する領域抽出手段；を備え、前記処理手段は、検索により検出された文字画像領域および非文字領域の画像データを、前記秘匿指示データの内容に応じて画像毀損処理する；請求項１１に記載の秘匿処理装置。
【請求項１３】
前記秘匿指示データは、文字画像領域，非文字領域および両者、を択一指定する領域指定データを含み；前記処理手段は、該領域指定データが指定する領域の画像データを画像毀損処理する；請求項１２に記載の秘匿処理装置。
【請求項１４】
前記秘匿指示データは、機密レベルデータを含み；前記処理手段は、該機密レベルデータに基づいて文字画像領域又は非文字領域である各領域に対して画像毀損処理の実行／不実行を定める、請求項１３に記載の、秘匿情報組み込み画像の秘匿処理装置。
【請求項１５】
前記毀損処理は、塗りつぶし又はマスクを含む画像変換である、請求項１２乃至１４のいずれか１つに記載の秘匿処理装置。
【請求項１６】
変倍処理は、秘匿処理後の画像データに対して実行する；請求項１乃至１５のいずれか１つに記載の秘匿処理装置。
【請求項１７】
秘匿処理装置は更に、前記秘匿指示データを表現するための複数のドットパターン配列を表す画像データを生成し、前記領域抽出手段が検索により検出した文字画像領域および非文字領域の外すなわち地肌領域の元画像データを、該複数のドットパターン配列を表す画像データに変換する秘匿情報合成手段；を備える請求項１２乃至１６のいずれか１つに記載の秘匿処理装置。
【請求項１８】
変倍処理は、秘匿情報合成手段が変換した画像データに対して実行する；請求項１７に記載の秘匿処理装置。
【請求項１９】
前記画像入力手段は、画像を読み取り該画像を表す電子化した画像データを、２画面分並行して発生する画像読み取り手段である；請求項１乃至１８のいずれか１つに記載の秘匿処理装置。
【請求項２０】
前記画像入力手段は、原稿の表面画像および裏面画像を並行して読み取って画像を表す電子化した画像データを出力する第１および第２読み取り手段を含む；請求項１乃至１８のいずれか１つに記載の秘匿処理装置。
【請求項２１】
請求項１乃至２０のいずれか１つに記載の秘匿処理装置；および、
前記秘匿処理装置が秘匿処理した画像データが表す画像を用紙上に形成する作像手段；を備える画像形成装置。
【請求項２２】
請求項１７又は１８に記載の秘匿処理装置；および、
該秘匿処理装置の秘匿情報合成手段が変換した画像データが表す画像を用紙上に形成する作像手段；を備える画像形成装置。
【請求項２３】
請求項１７又は１８に記載の秘匿処理装置；および、
該秘匿処理装置の、秘匿情報合成手段が変換した又は処理手段が秘匿処理した画像を用紙上に形成する作像手段；を備える画像形成装置。
【発明の詳細な説明】
【技術分野】
【０００１】
本発明は、複数区分の画像の秘匿処理装置ならびにそれを用いる画像読み取り装置および画像形成装置に関する。複数区分の画像は例えば、原稿の表面画像と裏面画像，複数ページの原稿の複数ページの画像，同一画像を分割した複数の分割画像，複数コマの画像、などであり、原稿スキャナ，電子撮影機（デジタルカメラ，ビデオカメラ）或いはコンピュータ（ＣＧ：コンピュータグラフィックス）で生成されて直接に、又は蓄積手段を介して間接に供給されるものである。本発明は、原稿スキャナ，複写機，ファクシミリ，プリンタ，コンピュータ，ドキュメントサーバおよびその他の、複数画像の同時並行処理に使用できる。
【背景技術】
【０００２】
【特許文献１】特開２００４−２７４０９２号公報
【特許文献２】特開２００６−２５４３５４号公報
【特許文献３】特開２００６−２８７９０２号公報
【特許文献４】特開２００６−  １３８８２号公報
【特許文献５】特開２００２−１０９５２７号公報
【特許文献６】特許第３２７８４７号公報。
【０００３】
特許文献１には、画像上の地紋パターンを検出すると、画像出力を禁止する、文書の機密保持の方法が記載されている。特許文献２には、地紋パターンを検出して機密指示情報を生成し、機密指示情報に基づいて複写禁止か判定するにおいて、地紋検出ユニットの故障を検出すると、原稿読み取りを中止し、画像形成を中止する画像処理装置が記載されている。特許文献３には、原稿に付加する地紋パターンの形状のみならず、パターンの色によっても画像の特性情報を表し違法な複写を防止する画像処理装置が記載されている。特許文献４には、原稿の表面と裏面の画像を同時に読み取り、メモリに格納する画像読み取り装置が記載されている。特許文献５には、原稿の表面と裏面の画像を同時に読み取り、１チャンネルを通して時分割書込みでメモリに格納する複合機能複写機が記載されている。特許文献６には、画像上の文字領域と、文字領域ではないが有意画像（例えば写真）である非文字領域とを検出する領域分割方法（像域分離）が記載されている。
【０００４】
ところで、複数画像が並行して入力される場合にも、各画像に対して秘匿処理を確実に実施することが望ましい。その場合、複数画像の入力処理特性の相違により、同一のパラメータを用いて秘匿情報を検知すると、一方の画像の秘匿情報を正確に検出できても他方の秘匿情報の検知が不正確になることが考えられる。また、少数の秘匿情報検出手段でそれより多い画像の各秘匿情報を正確に検出することも望まれる。更には、一方の画像のみに秘匿情報があり、他方の画像には秘匿情報がない場合でも、他方の画像にも前記一方の画像に施す秘匿処理を同様に実施するとセキュリティが向上することが考えられる。
【発明の開示】
【発明が解決しようとする課題】
【０００５】
本発明は、複数画像の同時入力の場合も、各画像の秘匿処理を確実に実施することを第１の目的とし、複数画像の秘匿処理をそれぞれ正確にすることを第２の目的とする。
【課題を解決するための手段】
【０００６】
（１）第１および第２画像の画像データすなわち元画像データを並行して入力する画像入力手段(210,230)；
画像メモリ手段(7)；
第１および第２画像の、元画像データ又は秘匿処理した画像データを、前記画像メモリ手段に格納する制御手段(3〜5)；
第１画像の元画像データに基づいて、第１画像上の第１秘匿情報を検出する第１検出手段(12a)；
第２画像の元画像データに基づいて、第２画像上の第２秘匿情報を検出する第２検出手段(12b)；
第１秘匿情報に対応して第１画像の元画像データを第１画像データに秘匿処理する第１処理手段(25a)；および、
第２秘匿情報に対応して第２画像の元画像データを第２画像データに秘匿処理する第２処理手段(25b)；を備える、秘匿処理装置。
【０００７】
なお、理解を容易にするために括弧内には、図面に示し後述する実施例の対応要素の符号又は対応事項を、例示として参考までに付加した。以下も同様である。
【発明の効果】
【０００８】
上記（１）によれば、画像入力手段(210,230)が並行して入力し、画像メモリ手段(7)に格納する第１および第２画像に、共に秘匿処理が施される。第１および第２画像に、並行して秘匿処理を施すことができる。
【０００９】
（２）秘匿処理装置は、第１の秘匿情報検出に用いる第１参照情報および第２の秘匿情報検出に用いる第２参照情報を格納した参照情報記憶手段(8)；を更に備え、第１検出手段は第１参照情報を第１の秘匿情報検出に用い、第２検出手段は第２参照情報を第２の秘匿情報検出に用いる；上記（１）に記載の秘匿処理装置。これによれば、第１および第２画像の各入力処理特性に合わせた第１および第２参照情報を用いることにより、第１および第２画像の各秘匿情報をそれぞれ正確に検知することが出来る。
【００１０】
（３）前記制御手段(3〜5)は、第１処理手段による秘匿処理があるときには第１画像データを、ないときには第１画像の元画像データを、前記画像メモリ手段に格納し、第２処理手段による秘匿処理があるときには第２画像データを、ないときには第２画像の元画像データを、前記画像メモリ手段に格納する；上記（１）又は（２）に記載の秘匿処理装置。これによれば、秘匿情報検出の結果に応じて秘匿処理をした又はしない画像データを画像メモリ手段に蓄積するので、画像の所要のセキュリティを保存しながら、様々な処理又は用途に画像データを利用することが出来る。
【００１１】
（４）第２処理手段は、第２検出手段が第２秘匿情報を検出せず、第１検出手段が第１秘匿情報を検出したときには、第１秘匿情報に対応して第２画像の元画像データを第２画像データに秘匿処理する(S9b)；上記（３）に記載の秘匿処理装置。これによれば、第２画像に秘匿情報がなくても、第２画像に対して、第１画像に施した秘匿処理と同じ秘匿処理が行われ、第２画像のセキュリティも高くなる。
【００１２】
（５）第１処理手段は、第１検出手段が第１秘匿情報を検出せず、第２検出手段が第２秘匿情報を検出したときには、第２秘匿情報に対応して第１画像の元画像データを第１画像データに秘匿処理する(S9b)；上記（３）又は（４）に記載の秘匿処理装置。これによれば、第１画像に秘匿情報がなくても、第１画像に対して、第２画像に施した秘匿処理と同じ秘匿処理が行われ、第１画像のセキュリティも高くなる。
【００１３】
（６）第１および第２画像の画像データすなわち元画像データを並行して入力する画像入力手段(210,230)；
画像メモリ手段(7)；
第１および第２画像の元画像データを前記画像メモリ手段に格納してから、第１および第２画像の一方の元画像データを読み出し、次に他方の画像の元画像データを読み出す制御手段(3〜5)；
読み出された第１画像の元画像データに基づいて、第１画像上の第１秘匿情報を検出し、読み出された第２画像の元画像データに基づいて、第２画像上の第２秘匿情報を検出する検出手段(12)；および、
第１秘匿情報に対応して第１画像の元画像データを第１画像データに秘匿処理し、第２秘匿情報に対応して第２画像の元画像データを第２画像データに秘匿処理する処理手段(25)；を備える、秘匿処理装置。
【００１４】
これによれば、画像入力手段(210,230)が並行して入力し、画像メモリ手段(7)に格納した第１および第２画像に、共に秘匿処理が施される。画像メモリ手段(7)に格納した第１および第２画像を順次に読み出して、検出手段(12)で第１および第２画像の各秘匿情報を検出し、処理手段(25)で第１画像および第２画像を各秘匿情報に基づいて秘匿処理するので、秘匿処理装置全体のコストを抑えることが出来る。
【００１５】
（７）秘匿処理装置は、第１の秘匿情報検出に用いる第１参照情報および第２の秘匿情報検出に用いる第２参照情報を格納した参照情報記憶手段(8)；を更に備え、前記制御手段は、第１画像の元画像データを前記画像メモリ手段から読み出すときには前記検出手段に第１参照情報を、第２画像の元画像データを前記画像メモリ手段から読み出すときには前記検出手段に第２参照情報を与え；前記検出手段は、与えられた参照情報を用いて秘匿情報を検出する；上記（６）に記載の秘匿処理装置。これによれば、第１および第２画像の各入力処理特性に合わせた第１および第２参照情報をそれぞれ第１および第２画像の秘匿情報の検出に用いるので、第１および第２画像の各秘匿情報をそれぞれ正確に検知することが出来る。第１および第２画像の入力処理特性に違いがあっても検出差を無くすことが出来る。
【００１６】
（８）前記処理手段(25)は、前記制御手段(3〜5)が前記他方の画像の元画像データを読み出しているとき前記検出手段(12)が秘匿情報を検出しない場合に、先行して読み出された前記一方の元画像データについて秘匿情報が検出されているときには、該秘匿情報に基づいて前記他方の画像の元画像データを秘匿処理する；上記（６）又は（７）に記載の秘匿処理装置。これによれば、秘匿情報検出および秘匿処理が後になる画像（前記他方の画像）に秘匿情報がなくても、該画像に対して、先の画像に施した秘匿処理と同じ秘匿処理が行われ、後処理画像のセキュリティも高くなる。
【００１７】
（９）前記画像上の秘匿情報は、地紋パターンである；上記（１）乃至（８）のいずれか１つに記載の秘匿処理装置。
【００１８】
（１０）地紋パターンは特定色（黒）であり；前記検出手段(12a,12b/12)は、該特定色の地紋パターンを検知する；上記（９）に記載の秘匿処理装置。これによれば、秘匿情報検出の条件が限定されるので、検出のアルゴリズムを簡単にして検出品質を上げることが出来る。
【００１９】
（１１）前記検出手段(12a,12b/12)は、検知したパターン対応の秘匿指示データ（セキュリティコード）を発生する；上記（９）又は（１０）に記載の秘匿処理装置。
【００２０】
（１２）秘匿処理装置は更に、元画像データに基づいて元画像上の文字画像領域および文字以外を表現する非文字領域を検索する領域抽出手段(23a,23b/47)；を備え、前記処理手段(25a,25b/25)は、検索により検出された文字画像領域および非文字領域の画像データを、前記秘匿指示データの内容に応じて画像毀損処理する；上記（１１）に記載の秘匿処理装置。これによれば、画像面内の特性が異なる画像領域（例えば文字領域，写真領域）ごとに秘匿処理実施／不実施および秘匿処理内容を定めることが出来る。
【００２１】
（１３）前記秘匿指示データは、文字画像領域，非文字領域および両者、を択一指定する領域指定データを含み；前記処理手段は、該領域指定データが指定する領域の画像データを画像毀損処理する；上記（１２）に記載の秘匿処理装置。
【００２２】
（１４）前記秘匿指示データは、機密レベルデータを含み；前記処理手段は、該機密レベルデータに基づいて文字画像領域又は非文字領域である各領域に対して画像毀損処理の実行／不実行を定める、上記（１３）に記載の、秘匿情報組み込み画像の秘匿処理装置。
（１５）前記毀損処理は、塗りつぶし又はマスクを含む画像変換である、上記（１２）乃至（１４）のいずれか１つに記載の秘匿処理装置。
【００２３】
（１６）変倍処理(26a,26b/28)は、秘匿処理後の画像データに対して実行する；上記（１）乃至（１５）のいずれか１つに記載の秘匿処理装置。変倍の前に秘匿情報を検出するので、変倍による変形，毀損或いは消失がない、規定サイズの秘匿情報を比較的に簡単な検出手段で正確に検出することが出来る。
【００２４】
（１７）秘匿処理装置は更に、前記秘匿指示データを表現するための複数のドットパターン配列(Ad)を表す画像データを生成し、前記領域抽出手段が検索により検出した文字画像領域および非文字領域の外すなわち地肌領域の元画像データを、該複数のドットパターン配列を表す画像データに変換する秘匿情報合成手段(31)；を備える上記（１２）乃至（１６）のいずれか１つに記載の秘匿処理装置。これによれば、画像に秘匿情報を付与することが出来る。
【００２５】
（１８）変倍処理(26a,26b/28)は、秘匿情報合成手段が変換する前の元画像データに対して実行する；上記（１７）に記載の秘匿処理装置。画像の変倍の後に秘匿情報を付加するので、変倍による変形，毀損或いは消失がない、規定サイズの秘匿情報が画像に付与され、後の秘匿情報検出および秘匿処理において、比較的に簡単な検出手段で正確に秘匿情報を検出することが出来る。
【００２６】
（１９）前記画像入力手段は、画像を読み取り該画像を表す電子化した画像データを、２画面分並行して発生する画像読み取り手段(210,230)である；上記（１）乃至（１８）のいずれか１つに記載の秘匿処理装置。
【００２７】
（２０）前記画像入力手段は、原稿の表面画像および裏面画像を並行して読み取って画像を表す電子化した画像データを出力する第１および第２読み取り手段(210,230)を含む；上記（１）乃至（１８）のいずれか１つに記載の秘匿処理装置。これによれば、原稿の両面読み取りにより得た、表面画像および裏面画像をそれぞれ秘匿処理することが出来る。
【００２８】
（２１）上記（１）乃至（２０）のいずれか１つに記載の秘匿処理装置；および、
前記秘匿処理装置が秘匿処理した画像データが表す画像を用紙上に形成する作像手段(100)；を備える画像形成装置。これによれば、秘匿処理した画像のプリントを得ることが出来る。
【００２９】
（２２）上記（１７）又は（１８）に記載の秘匿処理装置；および、
該秘匿処理装置の秘匿情報合成手段(31)が変換した画像データが表す画像を用紙上に形成する作像手段(100)；を備える画像形成装置。これによれば、秘匿情報を付加した画像のプリントを得ることが出来る。このプリントのその後のスキャナ読み取り又はコピーにおける秘匿セキュリティが期待できる。
【００３０】
（２３）上記（１７）又は（１８）に記載の秘匿処理装置；および、
該秘匿処理装置の、秘匿情報合成手段(31)が変換した又は処理手段(25a,25b/25)が秘匿処理した画像を用紙上に形成する作像手段(100)；を備える画像形成装置。これによれば、秘匿情報を付加した画像のプリントを得ることが出来る。このプリントのその後のスキャナ読み取り又はコピーにおける秘匿セキュリティが期待できる。また、秘匿処理した画像のプリントを得ることが出来る。
【発明を実施するための最良の形態】
【００３１】
本発明の他の目的および特徴は、図面を参照した以下の実施例の説明より明らかになろう。
【実施例１】
【００３２】
図１に、本発明の第１実施例のフルカラーデジタル複合機能複写機ＭＦ１の外観を示す。このフルカラー複写機ＭＦ１は、大略で、自動原稿送り装置（ＡＤＦ）２３０と、操作ボード６と、カラースキャナ２１０と、カラープリンタ１００の各ユニットで構成されている。なお、操作ボード６と、ＡＤＦ２３０付きのカラースキャナ２１０は、プリンタ１００から分離可能なユニットであり、カラースキャナ２１０は、動力機器ドライバやセンサ入力およびコントローラを有する制御ボードを有して、ＣＰＵ５（図４）と直接または間接に通信を行いタイミング制御されて原稿画像の読み取りを行う。カラープリンタ１００のプリント済の用紙は、排紙スタック１２６（図２）に排出される。
【００３３】
図２に、複合機能複写機ＭＦ１のカラープリンタ１００の機構を示す。この実施例のカラープリンタ１００は、レーザプリンタである。このレーザプリンタ１００は、マゼンダ（Ｍ），シアン（Ｃ），イエロー（Ｙ）および黒（ブラック：Ｋ）の各色の画像を形成するための４組のトナー像形成ユニットａ〜ｄが、第１転写ベルト１０７の移動方向（図中の左から右方向ｙ）に沿ってこの順に配置されている。即ち、４連ドラム方式のフルカラー画像形成装置である。
【００３４】
回転可能に支持され矢印方向に回転する感光体１０１の外周部には、除電装置１０５，クリーニング装置１０４，帯電装置１０２および現像装置１０３が配備されている。帯電装置１０２と現像装置１０３の間には、露光装置１０６から発せられる光情報の入るスペースが確保されている。感光体１０１は４個（ａ，ｂ，ｃ，ｄ）あるが、それぞれ周囲に設けられる画像形成用の部品構成は同じである。現像装置３が扱う色材（トナー）の色が異なる。感光体１０１（４個）は直径が３０から１００ｍｍ程度のアルミニュム円筒表面に、光導電性物質である有機半導体の層を設けた感光体である。その一部が、第１転写ベルト１０７に接している。ベルト状の感光体も採用可能である。
【００３５】
第１転写ベルト１０７は矢印方向に移動可能に、回転するローラ１０８，１０９および１１０間に支持、張架されていて、裏側（ループの内側）には、第１転写手段１１１が感光体１０１の近傍に配備されている。ベルトループの外側に、第１転写ベルト用のクリーニング装置１１２が配備されている。第１転写ベルト１０７より転写した後にその表面に残留する不要のトナーを拭い去る。
【００３６】
露光装置１０６は公知のレーザ方式で、フルカラー画像形成に対応した光情報を、一様に帯電された感光体表面に潜像として照射する。ＬＥＤアレイと結像手段から成る露光装置も採用できる。第１転写ベルト１０７は、基体の厚みが５０μｍ乃至６００μｍの樹脂フィルムあるいはゴムを基体にしたベルトで、感光体１０１からトナーを転写可能とする抵抗値を備える。
【００３７】
図２上で、第１転写ベルト１０７の右方には、第２転写ベルト１１３が配備されている。第２転写ベルト１１３は矢印方向に移動可能に、回転ローラ１１４，１１５および１１６間に支持、張架されていて、裏側（ループの内側）には、第２転写手段１１７が配備されている。ベルトループの外側に、第２転写ベルト用のクリーニング装置１１８、チャージャ１１９、などが配備されている。クリーニング装置１１８は、用紙にトナーを転写した後、残留する不要のトナーを拭い去る。
【００３８】
第２転写手段１１７，ローラ１１６、第１転写ベルト１０７を支持するローラ１０８により、第１転写ベルト１０７と第２転写ベルト１１３は接触し、あらかじめ定められた転写ニップを形成する。第２転写ベルト１１３は、基体の厚みが５０μｍ乃至６００μｍの樹脂フィルムあるいはゴムを基体にしたベルトで、第１転写ベルト１０７からトナーを転写可能とする抵抗値を備えるベルトである。
【００３９】
記録媒体である用紙１２０は、図の下方の給紙カセット１２１，１２２に収納されており、最上の用紙が給紙ローラ１３１又は１３２で１枚づつ、複数の用紙ガイドを経てレジストローラ１３３に搬送される。第２転写ベルト１１３の上方に、定着器１２３、排紙ガイド１２４、排紙ローラ１２５、排紙スタック１２６が配備されている。
【００４０】
第１転写ベルト１０７の上方で、排紙スタック１２６の下方には、補給用のトナーが収納できる収納部１２７が設けてある。トナーの色はマゼンタ、シアン、イエロー、ブラックの四色があり、カートリッジ１２８の形態にしてある。粉体ポンプ等により対応する色の現像装置１０３に適宜補給される。
【００４１】
本体の一部のフレーム１２９は、開閉支軸１３０を中心として、回動開放が可能な構造にしてあるので、記録媒体の搬送路は大きく開き、ジャムした記録媒体（用紙）の処理を容易にしている。
【００４２】
ここで両面印刷のときの各部の動作を説明する。まず感光体１０１による、作像が行われる。すなわち、露光装置１０６の作動により、不図示のＬＤ光源からの光は、不図示の光学部品を経て、帯電装置１０２で一様に帯電された感光体１０１のうち、作像ユニットａの感光体上に至り、書き込み情報（色に応じた情報）に対応した潜像を形成する。感光体１０１上の潜像は現像装置１０３で現像され、トナーによる顕像が感光体１０１の表面に形成され保持される。このトナー像は、第１転写手段１１１により、感光体１０１と同期して移動する第１転写ベルト１０７の表面に転写される。感光体１０１の表面は、残存するトナーがクリーニング装置１０４でクリーニングされ、除電装置１０５で除電され次の作像サイクルに備える。
【００４３】
第１転写ベルト１０７は、表面に転写されたトナー像を坦持し、矢印の方向に移動する。作像ユニットｂの感光体１０１に、別の色に対応する潜像が書き込まれ、対応する色のトナーで現像され顕像となる。この像は、すでに第１転写ベルト１０７に乗っている前の色の顕像に重ねられ、最終的に４色重ねられる。なお、単色黒のみを形成する場合もある。
【００４４】
このとき同期して第２転写ベルト１１３は矢印方向に移動していて、第２転写手段１１７の作用で、第２転写ベルト１１３の表面に第１転写ベルト１０７表面に作られた画像が転写される。いわゆるタンデム形式である４個の作像ユニットａ〜ｄの各感光体１０１上で画像が形成されながら、第１，第２転写ベルト１０７，１１３が移動し、作像が進められるので、その時間が短縮できる。
【００４５】
第１転写ベルト１０７が、所定のところまで移動すると、用紙の別の面に作成されるべきトナー画像が、前述したような工程で再度感光体１０１により作像され、給紙が開始される。給紙ローラ１３１又は１３２が反時計方向に回転すると、給紙カセット１２１又は１２２内の最上部にある用紙１２０が引き出され、レジストローラ１３３に搬送される。
【００４６】
レジストローラ１３３を経て、第１転写ベルト１０７と第２転写ベルト１１３の間に送られる用紙の片側の面に、第１転写ベルト１０７表面のトナー像が、第２転写手段１１７により転写される。更に記録媒体は上方に搬送され、第２転写ベルト１１３表面のトナー像が、チャージャ１１９により用紙のもう一方の面に転写される。転写に際して、用紙は画像の位置が正規のものとなるよう、タイミングがとられて搬送される。
【００４７】
本実施例では、感光体１０１に作像されるトナーの極性はマイナスである。第１転写手段１１１にプラスの電荷を与えることで、感光体１０１に作像されたトナーは第１転写ベルト１０７に転写される。第２転写手段１１７にプラスの電荷を与えることで、第１転写ベルト１０７に転写されたトナーは、第２転写ベルト１１３に転写される。用紙を第１，第２転写ベルト１０７，１１３間に送り込み、第２転写手段１１７にプラスの電荷を与えることで、第１転写ベルト１０７に転写されたトナーが用紙の片側の面に転写され、また、第２転写ベルト１１３に転写されたトナーは、転写チャージャ１１９からプラス極性の電荷与えることで、第２転写ベルト１１３表面のマイナス極性のトナーは吸引されて、用紙の他の面に転写される。
【００４８】
上記のステップで両面にトナー像が転写された用紙は、定着器１２３に送られ、用紙上のトナー像（両面）が一度に溶融、定着され、ガイド１２４を経て排紙ローラ１２５により本体フレーム上部の排紙スタック１２６に排出される。
【００４９】
図２のように、排紙部１２４〜１２６を構成した場合、両面画像のうち後から用紙に転写される面（頁）、すなわち第１転写ベルト７から用紙に直接転写される面が下面となって、排紙スタック１２６に載置されるから、頁揃えをしておくには２頁目の画像を先に作成し、第２転写ベルト１１３にそのトナー像を保持し、１頁目の画像を第１転写ベルト１０７から用紙に直接転写する。
【００５０】
第１転写ベルト１０７から直接に用紙に転写される画像は、感光体表面で正像にし、第２転写ベルト１１３から用紙に転写されるトナー像は、感光体表面で逆像（鏡像）になるよう露光される。このような頁揃えのための作像順、ならびに、正、逆像（鏡像）に切り換える画像処理も、ＩＭＡＣによるメモリＭＥＭに対する画像データの読書き制御によって行っている。
【００５１】
第２転写ベルト１１３から用紙に転写した後、ブラシローラ，回収ローラ，ブレード等を備えたクリーニング装置１１８が、第２転写ベルト１１３に残留する不要のトナーや紙粉を除去する。
【００５２】
図２ではクリーニング装置１１８のブラシローラが第２転写ベルト１１３の表面から離れた状態にある。支点１１８ａを中心として揺動可能で、第２転写ベルト１１３の表面に接離可能な構造になっている。用紙に転写する以前で、第２転写ベルト１１３がトナー像を担持しているとき離し、クリーニングが必要のとき、図で反時計方向に揺動し接触させる。除去された不要トナーはトナー収納部１３４に集められる。
【００５３】
以上が、「両面転写モード」を設定した両面印刷モードの作像プロセスである。両面印刷の場合には、常にこの作像プロセスで印刷が行われる。片面印刷の場合には、「第２転写ベルト１１３による片面転写モード」と「第１転写ベルト１０７による片面転写モード」の２つがあり、前者の第２転写ベルト１１３を用いる片面転写モードを設定した場合には、第１転写ベルト１０７に４色重ね（又は単色黒）で形成された顕像が第２転写ベルト１１３に転写され、そして用紙の片面に転写される。用紙の他面には画像転写はない。この場合、排紙スタック１２６に排出された印刷済用紙の上面に印刷画面がある。
【００５４】
後者の第１転写ベルト１０７を用いる片面転写モードを設定した場合には、第１転写ベルト１０７に４色重ね（又は単色黒）で形成された顕像が、第２転写ベルト１１３には転写されずに、用紙の片面に転写される。用紙の他面には画像転写はない。この場合は、排紙スタック１２６に排出された印刷済用紙の下面に印刷画面がある。
【００５５】
図３に、複合機能複写機ＭＦ１のスキャナ２１０およびそれに装着されたＡＤＦ２３０の、原稿画像読み取り機構を示す。このスキャナ２１０のコンタクトガラス２３１上に置かれた原稿は、照明ランプ２３２により照明され、原稿の反射光（画像光）が第１ミラー２３３で副走査方向ｙと平行に反射される。照明ランプ２３２および第１ミラー２３３は、図示しない、副走査方向ｙに定速駆動される第１キャリッジに搭載されている。第１キャリッジと同方向にその１／２の速度で駆動される、図示しない第２キャリッジには、第２および第３ミラー２３４，２３５が搭載されており、第１ミラー２３３が反射した画像光は第２ミラー２３４で下方向（ｚ）に反射され、そして第３ミラー２３５で副走査方向ｙに反射されて、レンズ２３６により集束され、ＣＣＤ２０７に照射され、電気信号に変換される。
【００５６】
第１および第２キャリッジは、走行体モーター２３８を駆動源として、ｙ方向に往（原稿走査），復（リタ−ン）駆動される。このようにスキャナ２１０は、コンタクトガラス２３１上の原稿をランプ２３２およびミラー２３３で走査して原稿画像をＣＣＤ２０７に投影するフラットベッド方式の原稿スキャナであるが、シートスルー読み取りも可能なように、第１キャリッジがホームポジション（待機位置）ＨＰで停止しているときの第１ミラー２３３の読み取り視野位置に、シートスルー読み取り窓であるガラス２４０があり、このガラス２４０の上方に自動原稿供給装置（ＡＤＦ）２３０が装着されており、ＡＤＦ２３０の搬送ドラム（プラテン）２４４がガラス２４０に対向している。
【００５７】
ＡＤＦ２３０の原稿トレイ２４１に積載された原稿は、ピックアップローラ２４２およびレジストローラ対２４３で搬送ドラム２４４と押さえローラ２４５の間に送り込まれて、搬送ドラム２４４に密着して読み取りガラス２４０の上を通過し、そして排紙ローラ２４６，２４７で、原稿トレイ２４１の下方の圧板兼用の排紙トレイ２４８上に排出される。
【００５８】
原稿の表面の画像は、原稿読取窓である読み取りガラス２４０を通過する際に、その直下に移動している照明ランプ２３２により照射され、原稿の表面の反射光は、第１ミラー２３３以下の光学系を介してＣＣＤ２０７に照射され光電変換される。すなわちＲＧＢ各色画像信号に変換される。搬送ドラム２４４の表面は、読み取りガラス２４０に対向する白色背板であり、白基準面となるように白色である。
【００５９】
また、原稿の裏面の画像は、光源および撮像素子を内蔵する撮像装置４０８で読み取られ光電変換される。すなわち、ＲＧＢ各色画像信号に変換される。撮像装置４０８に対向する白色背板４０９があり、撮像装置４０８と白色背板４０９の間を原稿が通過する。
【００６０】
読み取りガラス２４０と原稿始端の位置決め用のスケール２５１との間には、基準白板２３９、ならびに、第１キャリッジを検出する基点センサ２４９がある。基準白板２３９は、照明ランプ２３２の個々の発光強度のばらつき，また主走査方向のばらつきや、ＣＣＤ２０７の画素毎の感度ムラ等が原因で、一様な濃度の原稿を読み取ったにもかかわらず、読み取りデータがばらつく現象を補正（シェーディング補正）するために用意されている。
【００６１】
ＡＤＦ２３０の基体２４８は、奥側（図３紙面の裏側）でスキャナ２１０の基体にヒンジ結合（蝶番連結）しており、基体２４８の手前側（図３紙面の表側）の取っ手２５０ｍを持ってＡＤＦ２３０の基体２４８引き上げることにより、ＡＤＦ２３０を起こす（開く）ことができる。ＡＤＦ２３０の基体２４８の奥側には、ＡＤＦ２３０の開閉を検出するスイッチがある。ＡＤＦ２３０の、コンタクトガラス２３１に対向する圧板２５０ｐがＡＤＦ２３０の底面部に装着されており、ＡＤＦ２３０が閉じると、圧板２５０ｐの下面が、図３に示すように、コンタクトガラス２３１の上面に密着する。
【００６２】
図４に、複合機能複写機ＭＦ１の書画情報処理系統のシステム構成を示す。スキャナ２１０，ＡＤＦ２３０およびプリンタ１００は、画像データ処理装置２に接続されている。
【００６３】
画像データ処理装置２には、入力画像データ処理２ａおよび２ｂならびに出力画像データ処理２ｃがある。入力画像データ処理２ａおよび２ｂはそれぞれ、スキャナ２１０およびＡＤＦ２３０が出力する画像データに対して、スキャナガンマ補正，フィルタ処理および地肌濃度調整（地肌除去）などの、読取り歪を補正する画像処理を施す。加えて、本発明の実施のために、秘匿処理も行う。出力画像データ処理２ｃは、色補正（ＲＧＢ信号のＹＭＣＫ信号への色変換を含む）２７，変倍２８，画像加工２９，プリンタガンマ補正３０，階調処理３２などの画質処理をおこなう。加えて、地紋合成（秘匿情報の付加）３１も行う。
【００６４】
本実施例では、地紋検出処理１２ａが、スキャナ２１０のＣＣＤ２０７が読み取った原稿表面画像の地紋（図９の（ａ））を検出し、地紋検出処理１２ｂが、ＡＤＦ２３０の撮像装置４０８が読み取った原稿表面画像の地紋を検出する。
【００６５】
バス制御装置３は、画像データ処理装置２とメモリ制御装置４との間の、画像データ転送のためのデータラインの使用割当てを制御し、これらの装置と、システムコントローラの主体であるＣＰＵ５との間の通信をおこなう。また、画像データの１次圧縮／伸張も行う。
【００６６】
メモリ制御装置４は、アクセス制御，メモリ制御，圧縮／伸張，画像編集，バス制御，ポート制御，ネットワーク制御などの機能を備えている。メモリ制御，圧縮／伸張，画像編集，バス制御，ポート制御，ネットワーク制御は、それぞれＤＭＡＣ（ダイレクトメモリアクセス制御）を介してアクセス制御に接続される。
【００６７】
メモリ制御装置４は、システムコントローラの主体であるＣＰＵ５の制御に基づいて、メインメモリ７，ＨＤＤ８に対する画像データのアクセス制御，ＬＡＮ上に接続したパソコンＰＣ等のプリント用データの展開，メインメモリ７，ＨＤＤ８の有効活用のための画像データの２次圧縮／伸張ならびにパソコンＰＣ，メモリカード等への画像データの転送等もおこなう。バス制御装置３からメモリ制御装置４へ送られた画像データ（１次圧縮データ）は、メモリ制御装置４が、データ圧縮（２次圧縮）して、メインメモリ７又はＨＤＤ８に蓄積する。蓄積された画像データは必要に応じて読み出す。読み出した画像データは、伸張（２次伸張）して、１次圧縮データに戻してメモリ制御装置４からバス制御装置３へ戻す。そしてバス制御装置３で本来の画像データに伸張（１次伸張）して、画像データ処理装置２を経てプリンタ１２に出力する。
【００６８】
メモリ制御装置４にはまた、汎用（市販）の解凍／圧縮機能もあり、ファクシミリ，ＰＣあるいはメディア（メモリカード等）から読み込んだ圧縮データを解凍（伸張）することができ、また、複写機内で生成する面順次，線順次又は点順次の画像データを圧縮することができる。外部入出力コントローラ９およびネットワークＩ／Ｆ１０又はメディアＩ／Ｆ１１を介して、外部ファクシミリ，パソコンＰＣ，メモリカード等に転送するときには、この圧縮機能で圧縮しててから転送する。メモリ制御装置４には更に、１次圧縮／伸張機能もある。２次伸張機能でメモリ７の２次圧縮データを１次圧縮データに伸張し、そして１次伸張機能で１次圧縮データを画像データに伸張してメモリ７に展開することが出来る。
【００６９】
システムコントローラの主体であるＣＰＵ５は、ＨＤＤ８に対するプログラム，制御データ，参照データ，変換テーブル（ＬＵＴ：ルックアップテーブル）等の、書画情報以外のデータの読み書きを制御し、また各構成部の動作を制御する。
【００７０】
操作ボード６は、ユーザの入力に対応して、ＣＰＵ５がおこなうべき処理を指示する。たとえば、処理の種類（複写、ファクシミリ送信、画像読込、プリント等）および処理の枚数等を入力する。すなわち操作ボード６は、操作ボード６に対するユーザの操作に対応して、置数キーの押下の読込みと入力数字データの生成，スタートキーの押下の読込みと、スタート指示の、ＣＰＵ５への転送，用紙サイズの切換え入力の読取りなど、ユーザの操作読取りおよび表示出力の制御を行う。これにより、画像データ制御情報の入力を行うことができる。
【００７１】
メモリ制御装置４のネットワーク制御は、ＬＡＮおよびインターネットとの接続を制御する。ネットワーク制御は、ネットワークに接続された外部拡張機器に対するデータの送受信を管理する。すなわち、ＨＤＤ８に格納（セットアップ）したｗｗｗサーバ，ＦＴＰサーバ，ＳＭＴＰサーバ，ＤＨＣＰサーバおよびその他の、ファイル，メールの送受信に使用するサーバに基づいて、外部入出力コントローラ９を介して、ＬＡＮおよびインターネットを介するファイル，メールの送受信を行う。また、送信ファイルの生成ならびに受信ファイルのディレクトリへの付加を行う。ＣＰＵ５は、メモリ制御装置４におけるネットワークインターフェースについて制御をおこなう。例えば、操作ボード６又はＰＣ１からの原稿読み取り＆送信のコマンドに対応してメモリ制御装置４に、送信ファイルの生成，送信先のディレクトリの生成および送信を指示する。
【００７２】
アクセス制御は、ＣＰＵ５によるコマンド制御を実施する。アクセス制御はまた、メモリ７，ＨＤＤ８を中心に、外部ユニットからのメモリ７，ＨＤＤ８アクセスを管理する。スキャナ１が出力する画像データは、画像データ処理装置２を経て、バス制御装置３を介してメモリ制御装置４に転送され、メモリ制御装置４内に取り込まれる。取り込まれた画像データのメモリアクセスは、ＣＰＵ５の管理から離れる。すなわち、そのメモリアクセスは、システム制御から独立してダイレクトメモリアクセス制御（ＤＭＡＣ）によりおこなわれる。メモリ７，ＨＤＤ８へのアクセスについて、アクセス制御は複数ユニットからのアクセス要求の調停をおこなう。そして、メモリ制御は、メモリ７，ＨＤＤ８のアクセス動作またはデータの読み出し／書き込みを制御する。
【００７３】
ネットワークからメモリ７，ＨＤＤ８へアクセスする場合、ネットワークからネットワーク制御によりメモリ制御装置４内に取り込まれたデータは、ダイレクトメモリアクセス制御ＤＭＡＣによりメモリ７，ＨＤＤ８へ転送される。アクセス制御は、複数ジョブでのメモリ７，ＨＤＤ８へのアクセスの調停をおこなう。メモリ制御は、メモリ７，ＨＤＤ８に対するデータの読み出し／書き込みをおこなう。シリアルバスからメモリ７，ＨＤＤ８へアクセスする場合、ポート制御によりポートを介してメモリ制御装置４内に取り込まれたデータは、ダイレクトメモリアクセス制御ＤＭＡＣによりメモリ７，ＨＤＤ８へ転送される。ネットワークまたは直接接続されたＰＣからのプリント出力データは、ＣＰＵ５により、フオントデータを用いてイメージデータに変換されて、メモリ７，ＨＤＤ８内のメモリエリアに展開される。
【００７４】
各外部ユニットとのインターフェースについては、ＣＰＵ５が管理する。メモリ制御装置４内に取り込まれた後のデータ転送については、それぞれのＤＭＡＣがメモリアクセスを管理する。この場合、各ＤＭＡＣは、お互いに独立してデータ転送を実行するため、アクセス制御は、メモリ７，ＨＤＤ８へのアクセスに関するジョブの衝突、または各アクセス要求に対する優先付けをおこなう。
【００７５】
図５に、画像データ処理装置２の画像処理機能の概要を示す。画像データ処理装置２には、入力画像データ処理２ａおよび２ｂならびに出力画像データ処理２ｃがある。大要では、入力画像データ処理２ａおよび２ｂはそれぞれ、スキャナ２１０およびＡＤＦ２３０が出力する読取り画像データ（Ｒ，Ｇ，Ｂデータ）の画像品質を良くする読取り補正および秘匿処理を行い、出力画像データ処理２ｃは、読取り画像データを、プリンタ２の画像表現特性に合致する記録画像データに変換ししかも作像品質をよくする補正、ならびに、秘匿情報の付加を行う。
【００７６】
入力画像データ処理２ａには、画像データの階調特性を校正又は調整するスキャナガンマ補正２１ａ，画像の各部が文字領域か写真領域かの判定（画像特性の検出，像域分離）をする像域分離２３ａ，判定結果に基づいて画像特性（文字／写真）にあわせて鮮鋭化又は平滑化するフィルタ処理２２ａ，地肌濃度調整２４ａ，秘匿処理２５ａおよび変倍２６ａがある。像域分離２３ａは、特許文献６に記載の領域分割と同様な文字領域の検出および非文字領域の検出をおこない、文字領域でもなく非文字領域でもない領域は地肌領域と検出する。秘匿処理２５ａは、地紋検出処理１２ａが発生するセキュリティコード（秘匿指示データ）に応じて、指定があった画像特性領域に指定があった画像毀損処理を加える。地紋検出処理１２ａが秘匿情報（図９の（ａ））を検出しなかったときには、秘匿処理２５ａは画像毀損をしない。すなわち、地肌濃度調整２４ａが出力する元画像データをそのまま変倍２６ａに出力する。入力画像データ処理２ｂの機能構成は、上述の入力画像データ処理２ａと同一であり、また、地紋検出処理１２ｂの機能は、上述の地紋検出処理１２ａと同一である。
【００７７】
図６に、地紋検出処理１２ａの機能を示す。地紋検出処理１２ａは、スキャナγ補正２１ａが出力するＲ，Ｇ，Ｂ画像データを２値化して（４１）、２値ＲＧＢ画像データから、地肌領域の黒色画像を抽出する（４２）。次に孤立ドット抽出４３では、主走査ｄ画素×副走査ｌライン中にある、黒色画像の孤立画素を検出する。次に位相情報記憶部４４が、主走査ｄ画素×副走査ｌライン中にある孤立画素から、主走査ｄ画素×Ｂ数分のＢｄと副走査ｌライン×Ｌ数分のＬｌであるＢｄ×Ｌｌブロック中の孤立画素の位置関係を記憶する。そしてパターンマッチング４５によって、位置情報記憶４４が記憶したＢｄ×Ｌｌブロック中の孤立画素の位置関係情報と、予め位相情報記憶４４に記憶している第１グループの数種の参照パターンの位置関係情報（参照情報）との照合をして、合致する参照パターンを検索する。合致する参照パターンがあると、セキュリティコード生成４６が、該参照パターンに宛てられているビットデータを用いて、セキュリティコード（秘匿指示データ：図９の（ｂ））を生成し、秘匿処理２５ａに与える。
【００７８】
もう１つの地紋検出処理１２ｂの機能も、１２ａの機能と同じであるが、パターンマッチングには、第２グループの数種の参照パターン（参照情報）を用いる。スキャナ２１０のＣＣＤ２０７とＡＤＦ２３０の撮像装置４０８とは、イメージセンサの光電変換特性が異なり、スキャナ２１０が出力する表面画像データとＡＤＦ２３０が出力する裏面画像データの画像表現に差がある。そこで、ＨＤＤ８には、スキャナ２１０が出力する表面画像データの秘匿情報（図９の（ａ）の地紋ドット）を正確に検出するための第１グループの数種の参照パターンの位置関係情報（第１参照情報）と、ＡＤＦ２３０が出力する裏面画像データの秘匿情報を正確に検出するための第２グループの数種の参照パターンの位置関係情報（第２関係情報）が格納されている。複合機能複写機ＭＦ１に主電源が投入されて各部に動作電圧が与えられて各部が初期化を行った直後に、ＣＰＵ５が、ＨＤＤ８の第１参照情報を地紋検出処理１２ａの位置情報記憶４４のメモリ（レジスタ）に書込み、ＨＤＤ８の第２参照情報を地紋検出処理１２ｂの位置情報記憶のレジスタに書込む。位置情報記憶４４の下流のパターンマッチング４５が、位置情報記憶の参照情報をパターンマッチングの参照情報に用いる。
【００７９】
図７に、「コピー」（１０）の内容を示す。「コピー」（１０）に進むと操作ボード６のＬＣＤ（又はＰＣの使用による場合はＰＣのディスプレイ）にコピー入力画面を表示し（Ｓ１）、表示上にパスワード入力画面を表示してパスワード入力を促す。これに応じてオペレータが使用者認証装置にＩＣカードを挿入し、あるいは操作ボード６にパスワードを入力し、入力したパスワードが登録されたものであると、ＣＰＵ５は、コピー入力画面に対するオペレータの入力の読み込みと入力対応の複写条件を設定する。オペレータは原稿をＡＤＦ２３０（あるいはコンタクトガラス２３１上）にセットし、所望するコピーモード等の設定とコピー開始の入力を操作ボード６（又はＰＣ）に行う（以下ではＰＣの場合の記述を省略する）。コピー開始の指示の前に、オペレータは、「秘匿情報付加」を指定することができる。
【００８０】
スタートキーの押下があると、すなわちスタート指示があると、操作ボード６はオペレータが入力した情報を、機器内部の制御コマンドデータに変換し発行する。発行された制御コマンドデータはＣＰＵ５に通知される。ＣＰＵ５はコピー開始の制御コマンドデータに従って、コピー動作プロセスのプログラムを実行し、コピー動作に必要な設定や動作を順に行っていく。以下に動作プロセスを順に記す。
【００８１】
１．コピースタートの指示前に、「秘匿情報付加」の指定が操作ボード６に入力された場合に操作ボード６は、セキュリティコード形成のための、図９の（ｂ）に示す情報項目（対象領域，パターン，色，警告文字）および各情報項目の指定すべき内容を表す情報入力テーブルをＬＣＤに表示して、各項目の内容指定を促す。なお、内容指定のデフォルトは、どの項目も３（非文字部＆文字部，ベタ，青，複写禁止）であるが、初期設定を利用してデフォルトの内容を変更することができる。
【００８２】
オペレータが内容指定を変更しあるいは変更しないでＯＫ又はエンターを入力すると、コピースタートが指示されたときにＣＰＵ６は、情報入力テーブルの情報内容を表すセキュリティコードを生成し、ＨＤＤ８から数種の黒ドットパターンを表現する各画像データをメモリ７に読み出し、セキュリティコードの並び（ａ）〜（ｈ）を中央で２分割して、２行に並べて各ビット「０」の位置には第１ドットパターンを、「１」には第２ドットパターンを割り当てた、図９の（ａ）に示すドットパターン群Ａｃすなわち地紋画像を表す画像データをメモリ７に展開して、それを地紋合成３１の内部メモリに書き込む（Ｓ６，Ｓ７）。
【００８３】
２．原稿画像の読み取りを開始して、ＣＣＤ２０７で読み取ってデジタル変換しそしてシェーディング補正した表面画像のＲＧＢ各８ビットのデジタル画像データ、および、撮像装置４０８で読み取ってデジタル変換しそしてシェーディング補正した裏面画像のＲＧＢ各８ビットのデジタル画像データはそれぞれ、画像データ処理装置２の入力画像データ処理２ａおよび２ｂにより、読み取り歪補正処理する。すなわちあらかじめ決められた特性に統一するための処理をするとともに、地紋検出処理１２ａおよび１２ｂで地紋検出をする（Ｓ８，Ｓ９）。すなわち、図６に示す地紋検出を行う。
【００８４】
３．表面の画像および裏面の画像のいずれでも秘匿情報を検出しない場合には、地肌濃度調整２４ａ，２４ｂが出力する元画像データを、メインメモリ７に格納する（Ｓ１０，Ｓ１１）。表面および裏面の画像のそれぞれの秘匿情報を検出した場合には、各面の画像に、各秘匿情報対応の毀損処理を、秘匿処理２５ａおよび２５ｂで施して第１画像データおよび第２画像データとして、メインメモリ７に格納する（Ｓ１１ａ，Ｓ１２）。表面および裏面の画像の一方のみで秘匿情報を検出した場合には、各面の画像に、該秘匿情報対応の同一の毀損処理を、秘匿処理２５ａおよび２５ｂで施して第１画像データおよび第２画像データとして、メインメモリ７に格納する（Ｓ１１ｂ，Ｓ１２）。
【００８５】
図８の（ａ）に、「毀損処理」（Ｓ１１ａ，Ｓ１１ｂ）の内容を示す。ここでは像域分離（２３ａ，２３ｂ）が判定した地肌領域（地紋領域），文字領域，非文字領域、又は、文字領域＆非文字領域に、セキュリティコード（例えば図９の（ｂ））が指定する毀損処理を加えた毀損画像を生成する。例えば、セキュリティコードの「対象領域」が「３：非文字部＆文字部」、「パターン」が「３：ベタ」、「色」が「３：青」、「警告文字」が「３：複写禁止」であった場合には、メモリ７に蓄積した画像の非文字部および文字部を、青色ベタとししかもその中に白抜き文字「複写禁止」が入った、領域内毀損画像を形成する（Ｓ３１）。そして、秘匿処理２５ａ，２５ｂで非文字部又は文字部の領域の画像データを、毀損画像データに置換する（Ｓ３２）。これにより、メインメモリ７に格納する画像データは、画像の非文字部および文字部を毀損画像に置換した画像となる。
【００８６】
４．元画像データ又は毀損処理した画像データをメインメモリ７に格納すると、ＣＰＵ５は、メインメモリ７から表面画像の画像データを読み出して画像データ処理装置２の出力画像データ処理２ｃに出力し、次いで、裏面画像の画像データもメインメモリ７に格納しているときには、それを読み出して出力画像データ処理２ｃに出力する（Ｓ１３）。
メモリ７から上述のように画像データを読み出すとき、「秘匿情報付加」の指定があった場合には、地紋合成３１で、読み込み画像に地紋画像を合成して（Ｓ１４，Ｓ１５）、コピー画像として合成画像を印刷する（Ｓ１６）。
【００８７】
図８の（ｂ）に、「地紋合成」（Ｓ１５）の内容を示す。出力画像データ処理２ｃの地紋合成３１は、ＣＰＵ５から「秘匿情報付加」が指示されているときには、特許文献６に記載の領域分割と同様な文字領域の検出および非文字領域の検出をおこない（Ｓ４１）、地肌領域（文字領域および非文字領域の外領域）の画像データを、地紋画像（図９の（ａ））を表す画像データに置換する。地肌領域に対してこれを繰り返す。すなわち、地紋画像（図９の（ａ））を、地肌領域に、繰り返して展開する（Ｓ４２）。
【００８８】
再度図７を参照すると、地紋を合成した画像をプリンタ１００がプリントアウトする（Ｓ１６）。このプリントアウトによって得られるコピーが、秘匿情報を組み込んだすなわち埋め込んだ画像である。
【００８９】
複合機能複写機ＭＦ１には、コピー機能，スキャナ機能，プリンタ機能，ＦＡＸ機能，ドキュメントボックス機能など様々な出力手段があるが、どれも出力手段以外は、ほとんど同じ動作なので、代表してコピー動作を説明した。スキャナ機能の場合は、図７のステップＳ１をスキャナ入力画面を表示と読み替えてステップＳ１〜Ｓ１２を実行する。プリンタ機能の場合には、ステップＳ４を印刷画像読み込み（メモリ７に展開）と読み替えて、ステップＳ４〜Ｓ１６を実行する。ＦＡＸ機能の場合はパスワード照合（Ｓ２）〜ステップＳ１３を実行する。ドキュメントボックス機能の場合は、画像登録に関してはステップＳ４〜Ｓ１２を実行し、登録画像の印刷に関してはプリンタ機能の場合と同様であり、画像転送に関しては、ＦＡＸ機能の場合と同様である。
【実施例２】
【００９０】
図１０に、第２実施例の複合機能複写機ＭＦ１の書画情報処理系統のシステム構成を示す。第一読取り手段２１０ａ及び第２読み取り手段２３０ａは、原稿をスキャンすることにより、画像データを生成する部分であり、第１実施例のスキャナ２１０およびＡＤＦ２３０に相当するものである。これらの手段２１０ａ，２３０ａが生成したそれぞれの画像データを画像データ受取り部６０に入力する。画像データ受取り部６０は、受け取った画像データの特性に基づき、スキャナ処理を行なう。具体的には光量分布の歪みにより発生する画像漉度のばらつきを補正するシェーディング補正や原稿地肌に応じて地肌濃度を調整する等の処理をそれぞれの画像データごとに行なう。それぞれの処理後データを次段のメモリ制御＆第２画像処理６１に入力する。メモリ制御＆第２画像処理６１では受け取ったそれぞれの画像データをメモリ６２にフレームごとに蓄積する。フレームごとに蓄積した画像データを、例えば第一読取り手段２１０ａで読み取った画像データからフレームごとに取り出し、メモリ制御＆第２画像処理６１の第２画像処理に送る。第２画像処理６１では様々な画像処理を行なった後に、バスを介して画像メモリコントロール６３に送る。画像メモリコントロール６３は、図示していないが、大量に画像データを扱う目的でストレージを持つ。そのストレージに画像データを蓄え、次の入力画像を受け取ったり、或いはハードコピーを行なうために蓄積してあった画像データを、メモリ制御＆第２画像処理６１に送出する。このように画像メモリコントロール６３では、ストレージを用いて画像データの蓄積処理とストレージからの画像データの取り出しをコントロールする機能を持つ。本例では、メモリ６２に蓄積した第一読取り手段２１０ａからの画像データを先に処理したので、次に扱う画像データは第二読取り手段２３０ａからの画像データとなる。第２読取り手段２３０ａからの画像データも、前述のように処理し、要求に応じてストレージからデータを取り出し、メモリ制御＆第２画像処理６１に送る。
【００９１】
画像メモリコントロール６３から画像データを受け取ったメモリ制御＆第２画像処理６１は、次段の書き込み画像処理６６に画像データを送る。書き込み画像処理６６では、階調処理などの、プリンタでハードコピーを行なうために適した画像処理を行ない、プリンタのＶＤＣ６７に画像データを送る。ＶＤＣ６７では同じくプリンタのＶＤＢ６８で処理に適した画像フォーマットに形を変える等の前段処理を行なった上で、次段のＶＤＢ６８に画像データを送る。ＶＤＢ６８では、受け取った画像データを、プリンタのレーザ露光器のレーザダイオードの発光およびその他の処理により、画像書込み処理を行い、プリンタがその後の転写処理により、紙に画像を転写し、ハードコピーを得る。
【００９２】
第１実施例のものと同一機能の地紋検出処理１２ａおよび１２ｂが、第一読取り手段２１０ａからの画像データおよび第二読取り手段２３０ａからの画像データの地紋を検出して、地紋検出の結果を次段のメモリ制御＆第２画像処理６１に出力する。メモリ制御＆第２画像処理６１には、第１実施例の秘匿処理２ａ，２ｂおよび変倍２６ａ，２６ｂと同様な秘匿処理および変倍があり、また、第１実施例の出力画像データ処理２ｃの中の色補正，変倍，画像加工，プリンタガンマ補正，地紋合成等と同様な出力画像データ処理がある。地紋検出処理１２ａおよび１２ｂによる地紋検出に対応して各秘匿処理が各画像データに秘匿処理を施す。処理を施した画像データはメモリ６２に一旦蓄積し、処理の要求に応じて次の処理である、メモリ制御＆第２画像処理６１の出力画像データ処理を行う。この構成を持つことにより、メモリ６２に蓄積する画像データに、地紋パターン検出結果を反映することが出来、装置として様々な処理に対応させることが出来る。
【００９３】
画像メモリコントロール６３は、第１実施例のメモリ制御装置４に相当する。メモリ制御＆第２画像処理６１と画像メモリコントロール６３との接続は、双方向のバスを用いており、メモリ制御＆第２画像処理６１が処理した画像データは、書き込み画像処理６６に出力する他に、画像メモリコントロール６３のストレージに蓄積することが出来る。ストレージに蓄積した画像データは、画像メモリコントロール６３からメモリ制御＆第２画像処理６１に出力でき、また、外部入出力コントローラ９を介して外部（１０，１１）に出力できる。
【実施例３】
【００９４】
図１１に、第３実施例の複合機能複写機ＭＦ１の書画情報処理系統のシステム構成を示す。第３実施例の複合機能複写機ＭＦ１の機構は、図１〜図３に示す第１実施例のものと同じである。図１１に示す第３実施例の書画情報処理系統は、スキャナ２１０で読み取った表面画像の画像データとＡＤＦ２３０で読み取った裏面画像の画像データは、秘匿処理することなくメインメモリ７に格納する。そして表面画像の画像データをメインメモリ７から読み出して出力画像データ処理２ｃに出力するときに表面画像の画像データの秘匿情報を第１参照情報を用いて検出し、検出した秘匿情報に基づいて出力画像データ処理２ｃで画像データに秘匿処理を加えてから、プリンタ１００に出力し、次いで裏面画像の画像データをメインメモリ７から読み出して出力画像データ処理２ｃに出力するときに裏面画像の画像データの秘匿情報を第２参照情報を用いて検出し、検出した秘匿情報に基づいて出力画像データ処理２ｃで画像データに秘匿処理を加えてから、プリンタ１００に出力する。
【００９５】
図１２に、第３実施例の画像データ処理装置２の機能を示す。入力画像データ処理２ａおよび２ｂ共に、秘匿処理機能がないものである。第３実施例では、１箇所の地紋検出処理１２が、メモリ７から読み出されて出力画像データ処理２ｃに与えられる画像データの秘匿情報を検出する。すなわち、表面画像の秘匿情報および裏面画像の秘匿情報を、１箇所の地紋検出処理１２が検出する。
【００９６】
図１３に、地紋検出処理１２の機能を示す。第３実施例の地紋検出処理１２には、像域分離４７が加わっており、この像域分離４７が、特許文献６に記載の領域分割と同様な文字領域の検出および非文字領域の検出をおこない、文字領域でもなく非文字領域でもない領域は地肌領域と検出し、領域分離データを地肌部の黒画像抽出４２に与えると共に、画像データの流れに合わせたタイミング調整をして秘匿処理２５にも与える。図１２に示すように、秘匿処理２５は出力画像データ処理２ｃに加えられており、出力画像データ処理２ｃに入力される画像データに秘匿処理を施す。
【００９７】
図１４に、第３実施例のＣＰＵ５によるコピー制御の概要を示す。これにおいて、スキャナ２１０およびＡＤＦ２３０で原稿の表面画像および裏面画像の読み取りを開始するまで（Ｓ１〜Ｓ７）は、第１実施例と同様であるが、第３実施例では、読み取った画像データは、秘匿処理することなく、メインメモリ７に格納する（Ｓ８，Ｓ１２）。しかし、メモリ７から画像データを読み出すときには、ＣＰＵ５はまずＨＤＤ８の第１参照情報を地紋検出処理１２の位置情報記憶４４に設定してから、表面画像の画像データをメモリ７から読み出して出力画像データ処理２ｃに出力する。地紋検出処理１２が秘匿情報を検出してセキュリティコードを発生すると、秘匿処理２５が該コードをその内部のレジスタに格納して、セキュリティコードに対応する秘匿処理（画像の毀損処理）を、第１実施例の場合と同様に実行する（Ｓ１３，Ｓ９，Ｓ１０，Ｓ１１ａ）。表面画像の読み出しを終了し、画像メモリ７に裏面画像の画像データを格納しているときには、ＣＰＵ５はＨＤＤ８の第２参照情報を地紋検出処理１２の位置情報記憶４４に設定してから、裏面画像の画像データをメモリ７から読み出して出力画像データ処理２ｃに出力する。地紋検出処理１２が秘匿情報を検出してセキュリティコードを発生すると、秘匿処理２５が該コードをその内部のレジスタに格納して、セキュリティコードに対応する秘匿処理（画像の毀損処理）を実行する（Ｓ１３，Ｓ９，Ｓ１０，Ｓ１１ａ）。裏面画像の先頭所定領域の画像データを読み出しても、地紋を検出しないと、秘匿処理２５が、レジスタに保持している表面画像のセキュリティコードに対応する秘匿処理を実行する（Ｓ１０，Ｓ１１ｂ，Ｓ１１ｃ）。
【００９８】
秘匿情報付加指定がある場合の画像データ処理の内容は、第１実施例と同様である。第３実施例では、２つの異なる読取り手段（２０７，４０８）を用いて生成した表面および裏面の画像データに対して、同一のパス上でそれぞれの画像データを順番に出力し、秘匿情報を検出するが、それぞれの読取り特性の違いにより、画像データの特性に差があるので、パターン検出の参照情報を、それぞれの画像に対して適合性が高いものに切り替える。すなわち表面画像の秘匿情報の検出には第１参照情報を、裏面画像の秘匿情報の検出には第２参照情報を用いる。この構成を持つことにより、秘匿情報検出および秘匿処理に所要のハードウェア量を削減することが出来る。
【実施例４】
【００９９】
図１５に、第４実施例の複合機能複写機ＭＦ１の書画情報処理系統のシステム構成を示す。第一読取り手段２１０ａ及び第２読み取り手段２３０ａは、原稿をスキャンすることにより、画像データを生成する部分であり、第１実施例のスキャナ２１０およびＡＤＦ２３０に相当するものである。これらの手段２１０ａ，２３０ａが生成したそれぞれの画像データを画像データ受取り部６０に入力する。画像データ受取り部６０は、受け取った画像データの特性に基づき、スキャナ処理を行なう。具体的には光量分布の歪みにより発生する画像濃度のばらつきを補正するシェーディング補正，原稿地肌に応じた地肌濃度，変倍等の処理をそれぞれの画像データごとに行なう。それぞれの処理後データを次段のメモリ制御６１ａに入力する。メモリ制御６１ａは、受け取ったそれぞれの画像データをメモリ６２にフレームごとに蓄積する。フレームごとに蓄積した画像データを例えば第一読取り手段２１０ａで読み取った画像データからフレームごとに取り出し、次段の第２画像処理６１ｂに送る。第２画像処理６１ｂには、第３実施例の秘匿処理１２、ならびに、秘匿処理２５，色補正，変倍，画像加工，プリンタガンマ補正，地紋合成等と同様な出力画像データ処理がある。第２画像処理６１ｂは、秘匿処理および変倍を行った後に、或いは更に出力画像データ処理を行なった後に、バスを介して画像メモリコントロール６３に送る。画像メモリコントロール６３は図示していないが、大量に画像データを扱う目的でストレージを持つ。そのストレージに画像データを蓄え、次の入力画像を受け取ったり、或いはハードコピーを行なうために蓄積してあった画像データを第２画像処理６１ｂに送出する。このように画像メモリコントロール６３では、ストレージを用いて画像データの蓄積処理とストレージからの画像データの取り出しをコントロールする機能を持つ。
【０１００】
本例では、第一読取り手段２１０ａからの画像データを先に処理したので、次に扱う画像データは第二読取り手段２３０ａからの画像データとなる。第二読取り手段２３０ａからの画像データも前述のように処理し、要求に応じてストレージからデータを取り出し、第２画像処理６１ｂに送るものである。画像メモリコントロール６３から画像データを受け取った第２画像処理６１ｂは、次段の書き込み画像処理６６に画像データを送る。書き込み画像処理６６では、階調処理などの、ハードコピーを行なうために適した画像処理を行ない、プリンタのＶＤＣ６７に画像データを送る。ＶＤＣ６７ではプリンタのＶＤＢ６８で処理に適した画像フォーマットに形を変える等の前段処理を行なった上で、次段のＶＤＢ６８に画像データを送る。ＶＤＢ６８では受け取った画像データを用いてレーザダイオードの発光或いはその他の処理により、書き込み処理を行ない、プリンタはその後に転写処理により、紙に画像を転写し、ハードコピーを得る。
【０１０１】
メモリ制御６１ａと第２画像処理６１ｂとの間において地紋検出処理１２が画像データの地紋を検出して、地紋検出の結果を次段の第２画像処理６１ｂに出力する。第２画像処理６１ｂは、地紋検出に対応して画像データに秘匿処理を施す。２つの読み取り手段２１０ａ，２３０ａからの異なる読取り画像データに対して、同一のパス上でそれぞれの画像データを順番に出力し、地紋検出を行なうため、それぞれの読取り画像の特性の違いにより、地紋検出の設定条件をそれぞれの読取り画像に応じて切り替える。この構成を持つことにより、地紋検出処理のハードウェアを削減することが出来る。
【０１０２】
画像メモリコントロール６３は、第３実施例のメモリ制御装置４に相当する。第２画像処理６１ｂと画像メモリコントロール６３との接続は、双方向のバスを用いており、第２画像処理６１ｂが処理した画像データは、書き込み画像処理６６に出力する他に、画像メモリコントロール６３のストレージに蓄積することが出来る。ストレージに蓄積した画像データは、画像メモリコントロール６３から第２画像処理６１ｂに出力でき、また、外部入出力コントローラ９を介して外部（１０，１１）に出力できる。たとえば、原稿画像をスキャナで読み取って外部に送信するスキャナアプリ（スキャナ配信）動作時や、ファクシミリ送信において、地紋を検出した際に読み取った原稿の内容を保護するため、塗りつぶし画像を出力する場合がある。この場合には、第２画像処理６１ｂから秘匿処理を施した画像データを画像メモリコントロール６３のストレージに蓄積してから、外部入出力コントローラ９を介して外部（１０，１１）に出力する。同一画像を複数枚に印刷する場合には、第２画像処理６１ｂから秘匿処理を施した画像データを画像メモリコントロール６３のストレージに蓄積してから、ストレージから第２画像処理６１ｂに繰り返し読み出して書き込み画像処理６６に出力して印刷する。
【図面の簡単な説明】
【０１０３】
【図１】本発明の一実施例の複合機能複写機ＭＦ１の外観を示す正面図である。
【図２】図１に示すカラープリンタ１００の拡大縦断面図である。
【図３】図１に示すカラースキャナ２１０およびＡＤＦ２３０の拡大縦断面図である。
【図４】図１に示す複合機能複写機ＭＦ１の書画情報処理システムの概要を示すブロック図である。
【図５】図４に示す画像データ処理装置２の機能を示すブロック図である。
【図６】図４に示す地紋検出処理１２ａの機能を示すブロック図である。
【図７】図４に示すＣＰＵ５の複写制御の概要を示すフローチャートである。
【図８】図７に示す秘匿処理Ｓ１１および地紋合成Ｓ１５の内容を示すフローチャートである。
【図９】（ａ）は秘匿情報を表す地紋パターンの一例を示す平面図であり、（ｂ）は（ａ）に示す地紋パターンによって表現されるセキュリティコードを示すブロック図である。
【図１０】第２実施例の複合機能複写機ＭＦ１の書画情報処理システムの概要を示すブロック図である。
【図１１】第３実施例の複合機能複写機ＭＦ１の書画情報処理システムの概要を示すブロック図である。
【図１２】図１１に示す画像データ処理装置の機能を示すブロック図である。
【図１３】図１２に示す地紋検出処理１２の機能を示すブロック図である。
【図１４】第３実施例のＣＰＵ５の複写制御の概要を示すフローチャートである。
【図１５】第４実施例の複合機能複写機ＭＦ１の書画情報処理システムの概要を示すブロック図である。
【符号の説明】
【０１０４】
１０１：感光体      １０２：帯電装置
１０３：現像装置    １０４：クリーニング装置
１０５：除電装置    １０６：露光装置
１０７：第１転写ベルト
１０８〜１１０：ローラ
１１１：第１転写手段
１１２：クリーニング装置
１１３：第２転写ベルト
１１４〜１６：回転ローラ
１１７：第２転写手段
１１８：クリーニング装置
１１９：チャージャ
１２０：用紙（記録媒体）
１２１，１２２：給紙カセット
１２３：定着器    １２４：排紙ガイド
１２５：排紙ローラ
１２６：排紙スタック
１２７：補給トナー収納部
１２８：カートリッジ
１２９：フレーム  １３０：開閉支軸
１３１，１３２：給紙ローラ
１３３：レジストローラ
２３１：原稿台ガラス  ２３２：照明ランプ
２３３：第１ミラー    ２３４：第２ミラー
２３５：第３ミラー    ２３６：レンズ
２０７：ＣＣＤ        ２３８：ステッピングモータ
２３９：基準白板      ２４０：ガラス
２４１：原稿トレイ    ２４２：ピックアップローラ
２４３：レジストローラ対  ２４４：搬送ドラム
２４５：押さえローラ  ２４６，２４７：排紙ローラ
２４８：排紙トレイ兼用の圧板
２４９：基点センサ    ２５１：スケール
【図１】
2008311689.tif 000003
【図２】
2008311689.tif 000004
【図３】
2008311689.tif 000005
【図４】
2008311689.tif 000006
【図５】
2008311689.tif 000007
【図６】
2008311689.tif 000008
【図７】
2008311689.tif 000009
【図８】
2008311689.tif 000010
【図９】
2008311689.tif 000011
【図１０】
2008311689.tif 000012
【図１１】
2008311689.tif 000013
【図１２】
2008311689.tif 000014
【図１３】
2008311689.tif 000015
【図１４】
2008311689.tif 000016
【図１５】
2008311689.tif 000017